(57)【特許請求の範囲】
【請求項１】
暗証番号入力部を覆って覗き見を防止する覗き見防止カバーであって、
可視方向を規制する複数の可視方向規制面を、前記暗証番号入力部に入力操作する操作者の目線方向が前記可視方向となる角度に配置し、
前記複数の可視方向規制面は、互いに段差状に配置され、
各可視方向規制面間を接続する不可視面が設けられ、
前記各不可視面は、前記可視方向と略平行に配置された
覗き見防止カバー。
【請求項２】
透明素材により一体的に形成され、
前記可視方向規制面には可視方向規制シートが配置され、
前記不可視面には着色または凹凸加工がなされた
請求項１記載の覗き見防止カバー。
【請求項３】
前記可視方向規制面と前記不可視面が交互に階段状に配置された
請求項１または２記載の覗き見防止カバー。
【請求項４】
前記複数の可視方向規制面は、
一端から他端へ向かって序々に角度が異なって配置され、一点から放射状に広がる前記操作者の可視方向にそれぞれ対向している
請求項１から３の何れか１項に記載の覗き見防止カバー。
【請求項５】
請求項１から４の何れか１項に記載の覗き見防止カバーを備えた自動取引装置。
【発明の詳細な説明】
【技術分野】
【０００１】
この発明は、例えば自動取引装置で使用される暗証番号が暗証番号入力時に不正に入手されるのを防止するセキュリティ性が高い覗き見防止カバー及び自動取引装置に関する。
【背景技術】
【０００２】
近年、ＡＴＭ（現金自動預払機）など自動取引装置の急速な普及に伴い、偽造カードと、不正に入手した暗証番号とを使った不正取引が大きな社会問題になっている。
【０００３】
例えば、操作者が自動取引装置の取引過程で暗証番号を入力する際に不正行為者により暗証番号が覗き見されるおそれがあった。また、屋外に設置された自動取引装置では、装置周辺に設置された盗撮カメラによって暗証番号が盗み撮られるおそれがあった。この暗証番号が不正に入手されると、例えばスキミングによる偽造カードの作成やカード強盗等により不正に現金が引き出されてしまう。
【０００４】
このようなことから暗証番号の保護対策として、暗証番号を入力させるキーパッドの周囲を半透明のキーパッドカバーで立体的に覆うことにより、暗証番号のキー入力操作が覗き見されるのを防止するようにした自動取引装置が提案されている（例えば特許文献１参照）。
【０００５】
しかし、キーパッドの周囲を半透明な素材で覆うカバー形状にすると、操作者の目線方向や操作方向となる開口部の大きさや開口方向が制限されて操作者の視認性や操作性が悪くなる。
【０００６】
例えば視認性を改善するために、カバー上部に切欠きや穴などの開口部を設けたり、カバー素材に透明・スモーク材料を使用したりすることが考えられるが、自動取引装置の周辺に盗撮カメラが設置された場合には、その盗撮カメラからの盗撮を完全に阻止できない。
【０００７】
ことに、キーパッドの周囲をカバーで覆うだけでは、そのカバー自体の内部など操作者の死角となる位置に盗撮カメラが取り付けられると盗撮されてしまう可能性がある。
【０００８】
また、盗撮カメラが取り付けられたことを検出する不正検出用カメラを用いる技術などが考えられているが、適切な盗撮防止効果が得られていないのが実情である。
【先行技術文献】
【特許文献】
【０００９】
【特許文献１】特開２００８−２８７６４６号公報
【発明の概要】
【発明が解決しようとする課題】
【００１０】
そこでこの発明は、操作者の視認性、操作性を損なわず、盗撮カメラからの盗撮や覗き見による暗証番号の盗み取りを防止できる覗き見防止カバー及び自動取引装置を提供することを課題とする。
【課題を解決するための手段】
【００１１】
この発明は、暗証番号入力部を覆って覗き見を防止する覗き見防止カバーであって、可視方向を規制する複数の可視方向規制面を、前記暗証番号入力部に入力操作する操作者の目線方向が前記可視方向となる角度に配置し、前記複数の可視方向規制面は、互いに段差状に配置され、各可視方向規制面間を接続する不可視面が設けられ、前記各不可視面は、前記可視方向と略平行に配置されて構成する。
【発明の効果】
【００１２】
この発明によれば、操作者の視認性、操作性を損なわず、盗撮カメラからの盗撮や覗き見による暗証番号の盗み取りを防止できる覗き見防止カバー及び自動取引装置を提供することができる。
【図面の簡単な説明】
【００１３】
【図１】自動取引装置の正面図。
【図２】自動取引装置の制御ブロック図。
【図３】覗き見防止カバーの実装状態とその要部拡大斜視図。
【図４】覗き見防止カバーの縦断側面図。
【図５】覗き見防止カバーの裏側を示す斜視図。
【図６】覗き見防止カバーの上面側を示す斜視図。
【図７】可視シートの実装状態と操作者の可視範囲を示す説明図。
【図８】自動取引装置の屋外設置時の使用状態を示す概略説明図。
【図９】盗撮カメラを発見できる覗き見防止カバーの一例を示す説明図。
【図１０】盗撮カメラを発見できる覗き見防止カバーの他の例を示す説明図。
【発明を実施するための形態】
【００１４】
この発明の一実施例を以下図面に基づいて説明する。  
【実施例】
【００１５】
図１は建物の壁面に前面の顧客操作パネルのみが露出されて使用される屋外設置型の自動取引装置１を示している。この自動取引装置１は防犯性に加えて省スペース化や雨対策を考慮して備えられ、前面中央に略垂直に液晶表示画面等の表示部４が備えられる。この表示部４に取引科目の表示や操作ガイダンスが表示される。
【００１６】
さらに、前面下部の右側には入力装置３が備えられ、この入力装置３より暗証番号や入出金取引に必要な取引情報が入力操作される。さらに、この入力装置３に対しては、その周囲を覆う覗き見防止カバー９（図３から図７参照）が備えられている。取引科目の選択は、表示部４の左右に配置されている選択キー１０を操作することで行われる。
【００１７】
カード取引ユニット５は、表示部４よりさらに下側の位置にカード挿入口５ａを有し、ここに挿入されたキャッシュカードを受け付け、そのカード情報を読み取る。このキャッシュカードには金融機関番号、操作者の口座番号などが記録されており、このカード情報は取引される口座の特定、操作者の認証などに用いられる。
【００１８】
明細発行ユニット６は、カード取引ユニット５よりさらに右側の位置に明細票発行口６ａを有し、操作者の取引内容に従い、支払金額、入金金額、残高等の取引内容及び取引日時を、明細票に印字して発行する。
【００１９】
紙幣取扱ユニット８は、カード取引ユニット５よりさらに下側の位置に入出金口８ａを有し、操作者に対して紙幣の授受を行う。そして、入金時には、入出金口８ａより受け入れた操作者の紙幣を識別し、取引が確定されると金種ごとに分類して装置内に保管する。また、出金時には、操作者の指定した金額分の紙幣を入出金口８ａに繰り出して操作者に受け取らせる。
【００２０】
図２は自動取引装置１の主要な構成を表わす制御ブロック図である。  
この自動取引装置１は紙幣の入出金取引を制御する機能を有している。その構成として、装置内の各部を制御する制御部２と、入力装置３と、表示部４と、カード取引ユニット５と、明細発行ユニット６と、通信部７と、紙幣取引ユニット８とを備えている。
【００２１】
このうち、制御部２は自動取引装置１の各部を制御する。また、通信部７を介してセンタに備えられているホストコンピュータと通信して操作者の暗証番号を検証する。
【００２２】
図３は入力装置３の入力部分が不正に盗撮されたり覗き見されたりするのを防止する覗き見防止カバー９の実装状態を示している。ここで保護対象となる入力装置３は、自動取引装置１の前面Ｌ形状の顧客操作パネル２５の下部に突出している水平パネル面上に備えられている。この入力装置３は指定された番号をタッチ入力させる入力キー１１であり、平面視四角形状を有するシート状のテンキーで構成することができる。
【００２３】
この入力キー１１を中心とする周囲に、外部からは見えないように覆う覗き見防止カバー９が備えられる。この覗き見防止カバー９は入力キー１１の両側を覆うように不透明な壁を垂直に立上げた左側壁９ａと右側壁９ｂと、奥側に不透明な壁を垂直に立ち上げた奥壁９ｃと、さらに上方の空間部を覆うように配置される階段状のカバー壁１２とで、入力キー１１の上方空間の四方を立体的に覆っている。
【００２４】
この覗き見防止カバー９で覆われていない正面の開口部分は、手が入る程度の操作者専用の入力操作空間３ａとして開放されている。したがって、入力キー１１は操作者側から見て、覗き見防止カバー９により、左右両側、奥側及び上面側が覆われ、正面のみが開口されている。
【００２５】
なお、入力キー１１部の奥側が顧客操作パネル２５で塞がれる場合は、奥壁９ｃを省略したカバー形状にすることができる。また、覗き見防止カバー９を顧客操作パネル２５に組み込んで一体形成してもよい。
【００２６】
前記左側壁９ａと右側壁９ｂと奥壁９ｃは、不透明壁材を用いるか、透明な壁材に塗装や印刷を施して不透明にするか、壁材の表面にシボ加工等の処理を施して不透明な壁にするとよい。この際、不透明な壁を設けることにより外部の光が透過し難くなる場合は乳白色の壁材を使用するとよい。また、入力キー１１を照らす照明を設けてもよい。
【００２７】
さらに、図３では入力装置３の実装位置を、操作者側から見て自動取引装置１の右側に配置した例を示しているが、自動取引装置１の前後、左右、上下位置の何れの位置に配置してもよい。
【００２８】
入力装置３が右側の実装位置の場合は、操作者の左後方から不正行為者が入力キー１１の部分を覗こうとしても、操作者によって隠れるため見えないが、操作者の入力姿勢により右後方からは覗き見されるおそれがあることを考慮して右側壁９ｂを操作者側に引き寄せるように十分延設させて、右側壁９ｂで覆う領域を左側壁９ａよりも増やすように対処している。このように入力装置３の実装位置によっては左側壁９ａや右側壁９ｂの一方を長くさせることが望ましい。
【００２９】
特に、覗き見防止カバー９の上面を覆うカバー壁１２に関しては、不正行為に対する様々な工夫を施して的確な覗き見防止効果が得られるようにしている。このカバー壁１２の具体的な構造を図４から図７を参照して以下に説明する。
【００３０】
このカバー壁１２は、図４に示すように可視方向を規制する可視方向規制面としての複数の可視プレート１３と、不可視面としての複数の不可視プレート１４とを交互に配置して階段状に構成している。
【００３１】
ここに用いられる可視プレート１３は、入力キー１１に入力操作する操作者の目線方向２２と略直角に面対向する角度に配置される透明の樹脂板である。これら複数の可視プレート１３は何れも左側壁９ａと右側壁９ｂとの間を接続する横長の長方形を有し、且つ略同角度で同間隔にそれぞれ配置して構成される。
【００３２】
そして、これらの各可視プレート１３の裏面に可視範囲と不可視範囲を定める可視方向規制シート１５（図７にて後述する）を貼り付けることにより可視範囲となる操作者の目線方向２２を所望の角度に規制するようにしている。
【００３３】
これにより、操作者の目線方向２２からは各可視プレート１３が面対向し、しかも各可視プレート１３に貼り付けられている可視方向規制シート１５の可視範囲を同操作者の目線方向２２からのみ透過許容されて入力キー１１を見ることができる。
【００３４】
これに対し、操作者の目線方向２２から外れた他の位置からでは可視プレート１３を見ても、その可視プレート１３上の可視方向規制シート１５の不可視範囲が対向するため透過規制されて入力キー１１は見えない。
【００３５】
なお、この可視方向規制シート１５はフィルム等の別の素材でもよく、また可視プレート１３の裏面に限らず表面に貼り付けて配置してもよい。さらに、この可視方向規制シート１５は貼り付けて配置する以外に、該可視方向規制シート１５を挟持して配置するなど適宜の固定手段で配置することができる。
【００３６】
一方、不可視プレート１４は、操作者の目線方向２２と平行する角度に配置される不透明化した樹脂板である。これら複数の不可視プレート１４は左側壁９ａと右側壁９ｂとの間を接続する横長の長方形を有し、且つ略同角度で同間隔にそれぞれ配置して構成される。
【００３７】
この不可視プレート１４は、図５に示すように、透明樹脂板の裏面に例えば凹凸加工（エンボス加工）を施して不透明にした波型不可視面１６により形成することができる。この不可視面の作成に際しては、不透明材を用いてもよく、透明材に塗料を着色するか、着色シートを貼り付けるか、あるいはシボ加工を施して不透明化してもよい。
【００３８】
これにより、不正行為者の目線方向２７から不可視プレート１４を介して入力キー１１を見ようとしても不可視プレート１４の波型不可視面１６に遮られて内方の入力キー１１を見ることはできない。また、不可視プレート１４は操作者の目線方向２２と平行する位置関係にあるから操作者の目線方向２２をほとんど遮らず、操作者の視認性を妨げない。
【００３９】
なお、不可視プレート１４に施す着色、着色シート、シボ加工は、表面側にしてもよいが、裏面側とすることで不正加工による透明化を防止できる。
【００４０】
このように互いに段差状に配置された各可視プレート１３と各不可視プレート１４とは、各可視プレート１３間を各不可視プレート１４で略直角にそれぞれ接続して階段状のカバー壁１２を構成したものである。
【００４１】
ことに、各可視プレート１３は、図４に示すように、操作者の目線方向２２に対し、略直角に面対向する。最も内方を見易い角度で対応することになる。このため、操作者からの可視プレート１３の面の可視面積が広くなり、効率のよい可視範囲となる。
【００４２】
さらに、ここに用いられるカバー壁１２は製作上の観点から、可視プレート１３と不可視プレート１４のプレート素材に共通する同一の透明樹脂材を用いて製作性の向上を図っている。そして、不可視プレート１４にはシボ加工等により波型不可視面１６を施して階段状に一体成形した後、可視プレート１３には可視方向規制シート１５を貼り付けて配置するとよい。
【００４３】
さらに、カバー壁１２は操作者の目線方向２２に平面対向する可視プレート１３と、操作者の目線方向２２に略平行する不可視プレート１４とを交互に組み合わせた階段状を有して屋根のように平面的に配設される。図４ではカバー壁１２の正面開口側を高く、奥側が低くなるように傾斜させて配置した例を示している。
【００４４】
これにより、覗き見防止カバー９の入力操作空間３ａの入口が広くなり、操作者の手を入れ易くしている。また、奥側の内方空間を狭くして盗撮カメラ等を取り付け難くしている。さらに、入力装置３の高さによって操作者の目線方向２２が異なるため、カバー壁１２の大きさや角度は自動取引装置１の設置条件等に応じて構成するとよい。
【００４５】
さらに、覗き見防止カバー９の上面に略水平に位置するカバー壁１２の階段状の部分は、Ｖ字形と逆Ｖ字形とが交互に形成される構成上、Ｖ字形の凹み部に雨水が溜まり、視認性を阻害する恐れがある。このため、図６に示すようにＶ字形の凹み部の両端には排水口２６を開口して雨水の排水を可能にし、自動取引装置１が屋外に設置されても可視プレート１３面上での視認性が低下しないようにしている。このとき、排水口２６の位置や形状及び排水孔の数は覗き見防止カバー９の設置条件に対応させて任意に設けるとよい。
【００４６】
ここで、覗き見防止カバー９の上面が仮に平面であれば、前後左右の上方から内部の入力キー１１を覗き見ることが可能になってしまう。これに対し、覗き見防止カバー９の上面を階段状にすると、前後方向に渡って繰り返し山形状の段差が生じ、その山形状の前面に傾斜する可視プレート１３が操作者の目線方向２２に面対向する。これにより、操作者の目線方向２２からのみ階段状の各可視プレート１３を透過して覗き見防止カバー９で覆われた内部の入力キー１１を見ることができる。
【００４７】
この際、後面側となる位置から覗き見たり、盗撮しようと試みたりしても不可視プレート１４が対応するため、内部の入力キー１１を覗き見ることはできない。さらに、側面方向から覗き見たり、盗撮しようと試みたりしても山形状の傾斜面を見ることになるため、内部の入力キー１１を覗き見ることはできない。
【００４８】
次に、カバー壁１２を構成している可視プレート１３での可視範囲を規制する可視方向規制シート１５について説明する。  
図７は可視方向規制シート１５の可視範囲２０を構成する透明なシートまたはフィルムによる可視層１５ａと、不可視範囲２１を構成する着色された不透明なシートまたはフィルムによる不可視層１５ｂとを交互に配列して一体化したシートである。
【００４９】
この可視方向規制シート１５は特開２００３−１３１２０２号公報の技術を用いたシートを使用するものであり、この可視方向規制シート１５を可視プレート１３のプレート面に平面的に貼り付けて配置することにより、操作者の目線方向２２は可視方向規制シート１５の可視層１５ａを透過する可視範囲（可視角）２０にあるため入力キー１１を見ることができる。これ以外は不可視層１５ｂにより遮られて透過規制されるため不可視範囲２１となって入力キー１１を見ることができない。
【００５０】
前記可視範囲２０は、可視方向規制シート１５のシート面２３に対し、可視層１５ａと不可視層１５ｂとが配列されている傾斜角度θ１を変えることにより、所望の可視範囲２０に設定することができる。また、不正行為者の目線方向２７から見ようとする不可視範囲２１からでは盗撮を規制する盗撮防止角度θ２となる可視方向規制シート１５の配置角度に設定する。
【００５１】
さらに、シボ加工により不可視プレート１４をスリガラス状にした場合、外部の光を透過させて入力キー１１の部分が暗くならないようにすることができる。なお、そのシボ加工面に透明なテープを貼られた場合は透けて見える不具合が生じ得るが、波型不可視面１６とすることにより凹凸面であり透明なテープを平面で貼れない。このため、悪戯や不正な行為を防止して不透明な状態を維持することができる。また、波型不可視面１６は透明なテープを面で貼れない加工であれば、その不可視面の形状は他の加工であってもよい。
【００５２】
このように構成された自動取引装置１で取引した際の暗証番号の盗撮防止動作を、図８を参照して説明する。  
操作者が自動取引装置１の正面に立って入力操作する際、操作者は入金取引、出金取引等の取引利用する内容を取引ガイダンスにしたがって実行する。そして、暗証番号を入力する時、操作者は自動取引装置１の正面の位置から入力キー１１を見る。このとき、操作者の目線方向２２は可視方向規制シート１５の可視範囲２０で見通すことができるため、覗き見防止カバー９のカバー壁１２を透過して入力キー１１を明瞭に見ることができる。このため、操作者は自動取引装置１の正面位置から暗証番号を容易に入力することができる。
【００５３】
ことに、不正行為の一手段として屋外に設置された自動取引装置１の例えば図８の上部に示す上方取付枠１８に盗撮カメラ１９が取り付けられた場合、その盗撮カメラ１９から見下ろす撮影範囲は可視範囲２０を外れた位置から見ることになる。
【００５４】
つまり、盗撮カメラ１９は外部から入力キー１１を盗撮しようとすると、高位の上方取付枠１８にしか取り付けることができない。これに対し、操作者の目線方向２２は上方取付枠１８より低い人の高さに制限され、自ずと見る角度が異なる。この結果、盗撮カメラ１９は操作者の目線方向２２とは異なり、不可視範囲２１に位置することになる。このため、上方取付枠１８の上部の盗撮カメラ１９からは入力キー１１の撮影はできず、操作者のみ入力キー１１を見て入力操作することができる。このため、暗証番号の入力操作に支障はなく、盗撮されるおそれもない。なお、自動取引装置１の横方向は盗撮カメラ１９の取付け対応部位が存在しない。
【００５５】
このように自動取引装置１を屋外に設置した場合に、装置と壁の隙間を塞ぐ上方取付枠１８やブース設置時の上部に盗撮カメラ１９が取り付けられたとしても、入力キー１１を見ることができない方向となり、盗撮カメラ１９による暗証番号等の盗み取りや覗き見を防止することができる。このため、自動取引装置１は高セキュリティの運用が図れる。そして、このセキュリティの高い暗証番号の入力操作を確保することにより、操作者の安定した視認性・操作性を確保しながら操作者が指定した取引処理を実行することができる。
【００５６】
図９は覗き見防止カバー９での異物発見状態の一例を示している。例えば、覗き見防止カバー９の死角となり得る奥側に仮に内部盗撮カメラ２４が取付けられていても、操作者がカバー壁１２の可視プレート１３を見た際に、可視方向規制シート１５を透過して覗き見防止カバー９の奥まで全て視認できる。このため、操作者からは奥まで見通すことができ、操作者は不正な内部盗撮カメラ２４が取付けられていることを一目で気付くことができる。
【００５７】
特に、不可視プレート１４が操作者の目線方向２２と平行であるから可視プレート１３を透過して見る範囲に死角がなく、内部盗撮カメラ２４が内部のどこに取り付けられても覗き見防止カバー９の外から発見できる。したがって、犯罪の抑制にもなる。
【００５８】
図１０は他の覗き見防止カバー９での異物発見状態の一例を示している。この覗き見防止カバー９の上面を構成しているカバー壁１２は、各可視プレート１３のプレート面が一端から他端へ向かって序々に角度が異なって配置され、操作者の視点である一点から放射状に広がる該操作者の目線方向２２にそれぞれ対向させて形成している。
【００５９】
この際、操作者の視点高さは同じであるため、見る高さ方向を変えると、その高さに応じて少しずつ操作者の目線方向２２の角度が異なる。したがって、放射状に広がる操作者の目線方向２２に応じた角度に少しずつ角度を異ならせて各可視プレート１３の向きを対応させると、操作者の目線方向２２に対向する可視プレート１３の対向面が直角となる。これにより、各可視プレート１３の各対向面が操作者にとって最も見易い角度となる。
【００６０】
したがって、図１０における覗き見防止カバー９の、例えば奥側の上下部分にそれぞれ内部盗撮カメラ２４が取付けられている場合でも、操作者がカバー壁１２の可視プレート１３を見た際に、どの位置の可視プレート１３であっても奥まで見通すことができ、操作者は不正な内部盗撮カメラ２４が取り付けられていることを一目で気付くことができる。このため、内部盗撮カメラ２４が取り付けられるような不正行為があっても直ちに発見して対処することができる。
【００６１】
また、自動取引装置１は入力装置３を含む各部のデザインや大きさの変更に伴い、覗き見防止カバー９も同様にデザインや大きさが変更されるが、操作者の目線方向２２が可視方向となるように面対向する可視プレート１３の配置関係を確保していれば支障はない。
【００６２】
上述のように、覗き見防止カバー９を階段状に形成し、さらに一方の可視プレート１３に可視方向規制シート１５を実装し、他方を不可視プレート１４にすることにより、操作者のみ入力キー１１を見ることができ、外からは覗き見や盗撮はできない盗撮防止効果の優れた高セキュリティの覗き見防止効果を得ることができる。
【００６３】
また、覗き見防止カバー９は操作者から内方を見通すことができるため、この覗き見防止カバー９の内方に内部盗撮カメラ２４が取り付けられても一目で気付いて不正行為が行われようとしていることを直ちに発見できる。このため、自動取引装置１での暗証番号を不正に入手しようとする不正行為に対して的確な覗き見防止構造と盗撮防止構造とを有して対処できる高信頼性及び高セキュリティを確保した運用が図れる。
【００６４】
また、可視プレート１３で明瞭に視認できる方向を制限すると共に、不可視プレート１４で広い範囲に視認が可能な方向を制限するため、操作者の目線方向２２以外から入力キー１１が見られることを精度よく防止できる。
【００６５】
詳述すると、可視プレート１３を見る方向が悪いと、該可視プレート１３に貼り付けられている可視方向規制シートの可視層１５ａを見る面積が少なくなり、不可視層１５ｂを見る面積が増えて暗く見難くなる。これにより、可視プレート１３での覗き見防止性を高める機能が得られる。
【００６６】
さらに、見る方向が悪いと操作者の目線方向２２から平行して見えなかった不可視プレート１４の面が見え始めるため益々見難くなる。これにより、不可視プレート１４の面が加わって覗き見防止性を高める機能が得られる。すなわち、この不可視プレート１４は不可視層１５ｂよりも十分に大きく十分に広い間隔で配置されているため、複数の不可視プレート１４によって見えない部分がストライプ状に発生する。
【００６７】
このように、階段状にすることにより見る角度が悪くなると、視野角を制限する偏向フィルムとして機能する可視プレート１３だけでなく不可視プレート１４が見え始めて覗き見防止効果を高めるという２重の効果的な覗き見防止機能を有している。このため、角度の異なる２つのプレート１３，１４面の向きを有効に利用でき、覗き見防止性能が高くなり、操作者の目線方向２２以外から入力キー１１が見られることを的確に防止できる。
【００６８】
また、この覗き見防止カバー９は上面が階段状だから高強度で傷が付き難く壊れ難い。平面なら擦り傷が付きやすく割れやすいが、そのようなことがない。さらに、カバー壁１２は階段状の両端が左側壁９ａと右側壁９ｂに固定支持されるため十分な強度が得られる。
【００６９】
この発明の構成は上述の実施例の構成に限定されるものではなく、請求項に記載された技術的思想に基づいて応用することができる。例えば、上述の実施例では入出金取引する制御機能を有する自動取引装置１を示したが、これに限らず、入金取引機能のみ、または出金取引機能のみを有する自動取引装置にも適用することができる。さらに、入力キー１１はタッチ入力式に限らず、キーボード式の入力装置にも適用できる。
【産業上の利用可能性】
【００７０】
ＡＴＭなどの暗証番号を入力する自動取引装置の全般に適用することができる。
【符号の説明】
【００７１】
１…自動取引装置
３…入力装置
９…覗き見防止カバー
１１…入力キー
１２…カバー壁
１３…可視プレート
１４…不可視プレート
１５…可視方向規制シート
１６…波型不可視面
２０…可視範囲
２１…不可視範囲
２２…操作者の目線方向
【図１】
0005463220.tif 000002
【図２】
0005463220.tif 000003
【図３】
0005463220.tif 000004
【図４】
0005463220.tif 000005
【図５】
0005463220.tif 000006
【図６】
0005463220.tif 000007
【図７】
0005463220.tif 000008
【図８】
0005463220.tif 000009
【図９】
0005463220.tif 000010
【図１０】
0005463220.tif 000011